(57)【要約】【課題】その時の体力測定を行い判断するので、体調のよい時と悪い時とで、測定結果も変わり、その測定データで健康管理のアドバイスをしても効果がないという課題を有していた。【解決手段】個人の暦年齢を入力し記録する暦年齢入力記憶手段１と、個人の体力を測定する体力測定手段２と、体力測定のデータを長期的記録する記録手段３と、個人別の運動処方を指示する運度処方指示手段４を備え、暦年齢入力記憶手段１により入力された個人の暦年齢と、体力測定手段で個人の体力を測定し長期間記録されたデータと比較して、運度処方指示手段４により、暦年齢に応じた運動処方を指示することにより、個人別の運動処方を指示することができ、快適な生活を送ることができる。【選択図】　図１
2004113471.tif 000002
【特許請求の範囲】
【請求項１】
個人の暦年齢を入力し記録する暦年齢入力記憶手段と、個人の体力を測定する体力測定手段と、体力測定のデータを長期的記録する記録手段と、個人別の運動処方を指示する運度処方指示手段とからなる健康管理システム。
【請求項２】
記録手段のデータを、インターネットへデータを送受信するインターネット送受信手段と、そのデータを解析する解析手段を有してなる請求項１に記載の歩行健康管理システム。
【請求項３】
記録手段からのデータにより体力年齢を予測する体力年齢予測手段を有してなる請求項１に記載の歩行健康管理システム。
【請求項４】
体力測定手段は、手足の筋肉を測定する筋力測定手段を有してなる請求項１に記載の健康管理システム。
【請求項５】
体力測定時に、会話しながら筋肉を測定してなる会話手段を有してなる請求項４に記載の健康管理システム。
【請求項６】
体力測定手段は、歩行加速度を測定してなる歩行加速度測定手段を有してなる請求項１に記載の健康管理システム。
【発明の詳細な説明】
【０００１】
【発明の属する技術分野】
本発明は、高齢者等の健康を管理し健やかに生活できる健康管理システムに関するものである。
【０００２】
【従来の技術】
従来、この種の健康管理システムとしては、個人の体力を測定し、その測定データだけに着目していろいろな健康についてのアドバイスなどを行っていた。
【０００３】
【発明が解決しようとする課題】
しかしながら、前記従来の構成では、その時の体力測定を行い判断するので、体調のよい時と悪い時とで、測定結果も変わり、その測定データで健康管理のアドバイスをしても効果がないという課題を有していた。
【０００４】
本発明は、前記従来の課題を解決するもので、長期的な体力測定を行い判断するので体調のよい時と悪い時があっても、平均化された測定結果で健康管理のアドバイスをし、健康な生活を管理することにより、快適な生活を行うことを目的とする。
【０００５】
【課題を解決するための手段】
前記従来の課題を解決するために、本発明の健康管理システムは、個人の暦年例を入力し記録する暦年齢入力記憶手段と、個人の体力を測定する体力測定手段と、体力測定のデータを長期的記録する記録手段と、個人別の運動処方を指示する運度処方指示手段とからなるようにしたものである。
【０００６】
これによって、体力測定手段で個人の体力を測定し、体力測定のデータを記録手段で、長期間記録する。そして、暦年齢入力記憶手段により入力された個人の暦年齢を入力と、長期間記録されたデータを比較して、運度処方指示手段は、暦年齢に応じた運動処方を指示する。
【０００７】
【発明の実施の形態】
請求項１に記載の発明は、個人の暦年例を入力し記録する暦年齢入力記憶手段と、個人の体力を測定する体力測定手段と、体力測定のデータを長期的記録する記録手段と、個人別の運動処方を指示する運度処方指示手段とからなり、暦年齢入力記憶手段により入力された個人の暦年齢と、体力測定手段で個人の体力を測定し長期間記録されたデータと比較して、運度処方指示手段により、暦年齢に応じた運動処方を指示することにより、個人別の運動処方を指示することができ、快適な生活を送ることができる。
【０００８】
請求項２に記載の発明は、特に、請求項１に記載の記録手段のデータをインターネットへデータを送受信するインターネット送受信手段と、そのデータを解析する解析手段を有することにより、インターネット送受信手段で記録手段のデータをインターネットを介して、解析手段に送信し、解析結果をインターネット送受信手段でインターネットを介して、運度処方指示手段で受信し、個人は、居ながらにして、より快適に過ごすための運動処方を受けることができる。
【０００９】
請求項３に記載の発明は、特に、請求項１に記載の記録手段のデータから、体力年齢を予測する体力年齢予測手段を有することにより、体力年齢予測手段で体力年齢を予測し、暦年齢に応じた運動処方を指示することができ無理な運動による身体的な傷害を防ぐことが出来る。
【００１０】
請求項４に記載の発明は、特に、請求項１に記載の体力測定手段は、手足の筋肉を測定する筋力測定手段を有し、筋力測定手段で手足の筋肉の強さをみることにより体力年齢を推定し、個人の暦年を加味して、個人別の運動処方を指示することが出来る。
【００１１】
請求項５に記載の発明は、特に、請求項１に記載の体力測定手段で、体力測定時に会話しながら筋肉を測定してなる会話手段を有し、会話手段で会話をしながら、体力測定手段で手足の筋肉の強さをみることにより、さらにきめ細かな体力年齢を推定でき、きめ細かな個人別の運動処方を指示することが出来る。
【００１２】
請求項６に記載の発明は、特に、請求項１に記載の体力測定手段は、歩行加速度を測定してなる歩行加速度測定手段を有し、歩行加速度測定手段により歩行加速度を測定することにより、体力年齢を推定し個人の暦年を加味して、個人別の運動処方を指示することが出来る。
【００１３】
【実施例】
以下本発明の実施例について、図面を参照しながら説明する。
【００１４】
（実施例１）
図１は、本発明の第１の実施例における健康管理システムのブロック図を示すものである。
【００１５】
図１において、１は個人の暦年例を入力し記録する暦年例入力記憶手段で運度処方指示手段４に接続され、２は個人の体力を測定する体力測定手段で運度処方指示手段４に接続され、３は体力測定のデータを長期的記録する記録手段で運度処方指示手段４に接続され、４は個人別の運動処方を指示する運度処方指示手段とからなっている。
【００１６】
以上のように構成された健康管理システムについて、以下その動作、作用を説明する。
【００１７】
まず、暦年齢入力記憶手段１に、個人の暦年齢を入力し、体力測定手段２で個人の体力を測定する。その測定データは、運度処方指示手段４を介して記録手段３に長期間記録される。
【００１８】
運度処方指示手段４は、長期間記録されたデータにより、暦年齢に応じた運動処方を指示する。
【００１９】
以上のように、本実施例においては、暦年齢入力記憶手段１により入力された個人の暦年齢と、体力測定手段２で個人の体力を測定し、記録手段３に長期的記録された体力測定のデータを基に、運度処方指示手段４は、暦年齢を加味した個人別の運動処方を指示し、快適な生活を送ることができる。
【００２０】
（実施例２）
図２は、本発明の第２の実施例の健康管理システムのブロック図である。
【００２１】
図２において、実施例１の構成と異なるところは、運度処方指示手段４に接続され５のインターネット送受信手段と、６のインターネットと、７のインターネット上の解析手段を設けた点である。他は実施例１と同じなので省略する。
【００２２】
以上のように構成された健康管理システムについて、以下その動作、作用を説明する。
【００２３】
まず、運度処方指示手段４は、長期間記録されたデータを、インターネット送受信手段５により、インターネット６を介して解析手段７に送信する。解析手段７は高速演算処理手段などであり、データを処理して、暦年齢に応じた運動処方を解析する。
【００２４】
解析結果は、インターネット送受信手段５により、運度処方指示手段４に送信される。運度処方指示手段は、その結果を利用者に知らせる。
【００２５】
以上のように、本実施例においては、記録データをインターネットで、解析手段に送信し、解析手段は記録データに基づいて運動処方をインターネットで運度処方指示手段に送信することにより、居ながらにして、より快適に過ごすための運動処方を受けることができる。
【００２６】
（実施例３）
図３は、本発明の第３の実施例の健康管理システムのブロック図である。
【００２７】
図３において、実施例１の構成と異なるところは、運度処方指示手段４に接続された８の体力年齢予測手段を設けた点である。他は実施例１と同じなので省略する。
【００２８】
以上のように構成された健康管理システムについて、以下その動作、作用を説明する。
【００２９】
まず、暦年齢入力記憶手段１に、個人の暦年齢を入力し、体力測定手段２で個人の体力を測定する。その測定データは、運度処方指示手段４を介して記録手段３に長期間記録される。
【００３０】
運度処方指示手段４は、長期間記録されたデータより、体力年齢予測手段８により体力年齢を予測する。そして、運度処方指示手段４は、体力年齢に暦年齢を加味した運動処方を指示する。
【００３１】
以上のように、本実施例においては、体力年齢を予測し、体力年齢に応じた運動処方を指示することができ無理な運動による身体的な傷害を防ぐことが出来る。
【００３２】
（実施例４）
図４は、本発明の第４の実施例の健康管理システムのブロック図である。
【００３３】
図４において、実施例１の構成と異なるところは、運度処方指示手段４に接続された９の筋力測定手段を設けた点である。他は実施例１と同じなので省略する。
【００３４】
以上のように構成された健康管理システムについて、以下その動作、作用を説明する。
【００３５】
まず、暦年齢入力記憶手段１に、個人の暦年齢を入力する。ついで、体力測定手段２の中の筋力測定手段９で、個人の筋力を測定する。その測定データは、運度処方指示手段４を介して記録手段３に長期間記録される。運度処方指示手段４は、長期間記録されたデータに、暦年齢を加味した運動処方を指示する。
【００３６】
以上のように、本実施例においては手足の筋肉の強さをみることにより体力を推定し、個人の暦年を加味して、個人別の運動処方を指示し、快適な生活を送ることが出来る。
【００３７】
（実施例５）
図５は、本発明の第５の実施例の健康管理システムのブロック図である。
【００３８】
図５において、実施例４の構成と異なるところは、運度処方指示手段４に接続された１０の会話手段を設けた点である。他は実施例４と同じなので省略する。
【００３９】
以上のように構成された健康管理システムについて、以下その動作、作用を説明する。
【００４０】
まず、暦年齢入力記憶手段１に、個人の暦年齢を入力する。ついで、体力測定手段２の中の筋力測定手段９で、個人の筋力を測定する。その測定データは、運度処方指示手段４を介して記録手段３に長期間記録される。そのとき、会話手段１０の指示により、筋肉への力の入れ方をいろいろできる。運度処方指示手段４は、各種異なる条件で測定されたデータ長期間記録し、暦年齢を加味した運動処方を指示する。
【００４１】
以上のように、本実施例においては、会話をしながら、手足の筋肉の強さをみることにより、さらにきめ細かな体力年齢を推定でき、個人の暦年を加味して、きめ細かな個人別の運動処方を指示することが出来る。
【００４２】
また、本実施例の筋力測定手段９と会話手段１０を、ペットロボットに組み込めば、ペットロボットと遊びながら，体力が測定できる。
【００４３】
（実施例６）
図６は、本発明の第６の実施例の健康管理システムのブロック図である。
【００４４】
図６において、実施例１の構成と異なるところは、運度処方指示手段４に接続された１１の歩行加速度測定手段を設けた点である。他は実施例１と同じなので省略する。
【００４５】
以上のように構成された健康管理システムについて、以下その動作、作用を説明する。
【００４６】
まず、暦年齢入力記憶手段１に、個人の暦年齢を入力する。ついで、体力測定手段２の中の歩行加速度測定手段９で、個人の歩行加速度を測定する。その測定データは、運度処方指示手段４を介して記録手段３に長期間記録される。運度処方指示手段４は、長期間記録されたデータに、暦年齢を加味した運動処方を指示する。
【００４７】
以上のように、本実施例においては、歩行加速度測定手段により歩行加速度を測定することにより、体力年齢を推定し個人の暦年を加味して、個人別の運動処方を指示することが出来る。
【００４８】
また、本実施例では歩行加速度手段として、万歩計（Ｒ）のようなもので一定時間に動いた歩数で、多い歩数は元気で、少ない歩数は元気がなない等の体力を推定することもできる。
【００４９】
【発明の効果】
以上のように、請求項１に記載の発明によれば、体力の測定データの長期的記録により体力年齢を予測し、個人の暦年を加味して、個人別の運動処方を指示することにより、快適な生活を送ることができる。
【００５０】
以上のように、請求項２に記載の発明によれば、記録データをインターネットで、解析手段に送信し、解析手段は記録データに基づいて運動処方をインターネットで運度処方指示手段に送信することにより個人は、居ながらにして、より快適に過ごすための運動処方を受けることができる。
【００５１】
以上のように、請求項３に記載の発明によれば、体力年齢を予測し、体力年齢に応じた運動処方に指示することができ無理な運動による身体的な傷害を防ぐことが出来る。
【００５２】
以上のように、請求項４に記載の発明によれば、手足の筋肉の強さをみることにより体力を推定し、個人の暦年を加味して、個人別の運動処方を指示し、快適な生活を送ることが出来る。
【００５３】
以上のように、請求項５に記載の発明によれば、会話をしながら、手足の筋肉の強さをみることによりさらにきめ細かな体力年齢を推定でき、個人の暦年を加味して、きめ細かな個人別の運動処方を指示することが出来る。
【００５４】
以上のように、請求項６に記載の発明によれば、歩行加速度測定手段により歩行加速度を測定することにより体力年齢を推定し個人の暦年を加味して、個人別の運動処方を指示することが出来る。
【図面の簡単な説明】
【図１】本発明の実施例１における健康管理システムのブロック図
【図２】本発明の実施例２における健康管理システムのブロック図
【図３】本発明の実施例３における健康管理システムのブロック図
【図４】本発明の実施例４における健康管理システムのブロック図
【図５】本発明の実施例５における健康管理システムのブロック図
【図６】本発明の実施例６における健康管理システムのブロック図
【符号の説明】
１　暦年例入力記憶手段
２　体力測定手段
３　記録手段
４　運度処方指示手段
【図１】
2004113471.tif 000003
【図２】
2004113471.tif 000004
【図３】
2004113471.tif 000005
【図４】
2004113471.tif 000006
【図５】
2004113471.tif 000007
【図６】
2004113471.tif 000008